(57)【要約】【課題】投射される全ての画像光の反射光の輝度変化に応じた色輝度補正を実現可能な色輝度補正装置とプロジェクタを提供する。【解決手段】色輝度補正装置２０は投射面３０からの反射光１７を受光してそれぞれが赤、緑、青、黄の４色のカラーフィルタを有する光電変換素子によって検出された各色の反射光の反射輝度値情報が記憶される第１メモリ２４と、各色ごとに予め定められている反射光の基準輝度値情報が予め記憶されている第２メモリ２６と、反射輝度値情報と基準輝度値情報とを比較して色輝度補正データを生成する色輝度補正データ生成部２７と、色輝度補正データに基づいて投射装置１０に入力される画像信号を補正する色輝度補正回路部２８を有し、プロジェクタ１は画像形成部１４によって形成された４色以上の画像光を投射面３０に順次投射してカラー画像を表示する。【選択図】図１
2005286605.tif 000002
【特許請求の範囲】
【請求項１】
投射装置によって４色以上の画像光を投射面に順次投射してカラー画像を表示するプロジェクタに設けられて、該投射面に投射された各色の前記画像光の反射光の輝度を調整するための色輝度補正装置であって、
前記投射面に投射された各色ごとの前記画像光の反射光を受光して各色ごとの該反射光の輝度を測定するカラーセンサを備えていて、測定した輝度値を出力するカラーセンサ部と、
前記カラーセンサ部から入力した各色の反射光の前記輝度値を示す情報が記憶される第１の記憶手段と、
各色ごとに定められた反射光の基準輝度値を示す情報が予め記憶された第２の記憶手段と、
前記第１の記憶手段に記憶されている情報と、前記第２の記憶手段に記憶されている情報とを比較して色輝度補正データを生成する色輝度補正データ生成手段と、
前記色輝度補正データに基づいて前記投射装置に入力される画像信号を補正する色輝度補正手段とを有する色輝度補正装置。
【請求項２】
投射面に投射される画像光は、赤色、緑色、青色および黄色である、請求項１に記載の色輝度補正装置。
【請求項３】
前記第１の記憶手段に記憶されている情報は、前記カラーセンサ部によって検出された各色の反射光の輝度値を示す、請求項１または請求項２に記載の色輝度補正装置。
【請求項４】
前記第１の記憶手段に記憶されている情報は、前記カラーセンサ部によって検出された各色の反射光の輝度値から、前記投射面に画像光が投射されていない状態で前記投射面によって反射された周辺光の輝度値を減算して得た輝度値を示す、請求項１または請求項２に記載の色輝度補正装置。
【請求項５】
前記第２の記憶手段に記憶されている情報は、前記各色の画像光を白色の投射面に投射した際に前記カラーセンサ部によって検出された各色の反射光の輝度値を示す、請求項１から請求項４の何れか１項に記載の色輝度補正装置。
【請求項６】
前記色輝度補正装置の構成要素は一体のユニットとして構成されている、請求項１から請求項５の何れか１項に記載の色輝度補正装置。
【請求項７】
請求項１から請求項６に記載の色輝度補正装置を備え、該色輝度補正装置の前記色輝度補正手段によって色輝度が補正された画像信号が前記投射装置に設けられた画像形成部へ入力される、プロジェクタ。
【請求項８】
投射装置によって４色以上の画像光を投射面に順次投射してカラー画像を表示するプロジェクタにおける色輝度補正方法であって、
前記投射面に、４色以上の前記画像光を順次投射するステップと、
前記投射面に投射された画像光の反射光の輝度値を各色ごとに検出するステップと、
検出された前記各色の反射光の輝度値を各色ごとに予め定められている基準輝度と比較して色輝度補正データを生成するステップと、
生成された前記色輝度補正データに基づいて前記画像形成部に入力される画像信号を補正するステップとを有する、プロジェクタにおける色輝度補正方法。
【請求項９】
前記投射面に画像光が投射されていない状態で前記投射面によって反射された周辺光の反射光の輝度値を検出するステップと、
前記投射面に投射された画像光の反射光の輝度値から、前記周辺光の反射光の輝度を減算するステップを有し、
前記色輝度補正データは、前記減算によって得られた輝度値と、前記基準輝度値とを比較して生成される、請求項８に記載のプロジェクタにおける色輝度補正方法。
【発明の詳細な説明】
【技術分野】
【０００１】
本発明はプロジェクタの色輝度補正に関し、特に色輝度補正装置と該色輝度補正装置を備えたプロジェクタとプロジェクタにおける色輝度補正方法に関する。
【背景技術】
【０００２】
赤（Ｒ）、緑（Ｇ）、青（Ｂ）の各色の画像光を投射面に順次投射してカラー画像を表示するプロジェクタの場合、投射面が必ずしも予定されている反射特性を有するとは限らず、投射面の反射特性によっては色の再現性が低下する。また、周辺光（環境光）の影響によっても色の再現性が低下する。そこで従来は、投射面に投射された画像光の反射光の輝度値（強度）を波長毎に検出し、その検出結果に基づいて色の輝度補正を行っている。具体的に説明すると、回折格子やプリズムによって上記反射光をＲ、Ｇ、Ｂの三原色にスペクトル分解し、各色光の輝度をカラーセンサによって検出し、各色光の輝度がなるべく同一となるように調整することによって色の再現性を向上させている。ここで、一般的なプロジェクタに搭載されているカラーセンサは、６６０ｎｍ帯域の光の輝度を検出するための赤色センサ、５４０ｎｍ帯域の光の輝度を検出するための緑色センサ、４６０ｎｍ帯域の光の輝度を検出するための青色センサといった３つの単色センサから構成されている。各単色センサの特性を図７に示す。図７は従来のカラーセンサを構成する各単色センサの特性を示すグラフである。図中一点鎖線で示されるものは黄色の中心の波長であり、黄色の輝度値は緑色センサでも赤色センサでも正しく計測できないことが判る。以上のようなプロジェクタの色輝度補正の詳細については、例えば特許文献１に開示されている。
【特許文献１】特開２００３−３２３６１０号公報
【発明の開示】
【発明が解決しようとする課題】
【０００３】
従来のプロジェクタが投射する画像光には、Ｒ、Ｇ、Ｂの三原色しか含まれていなかったので、上記のような３つのカラーセンサの検出結果に基づく色輝度補正でも必要かつ十分であった。しかし、近年のプロジェクタのなかには、色の再現性を向上させるために、Ｒ、Ｇ、Ｂ以外の色光を独立した画像光として投射するプロジェクタがある。このようなプロジェクタにおいては、上記のような３つの単色フィルタから構成されるカラーセンサの検出結果に基づく色輝度補正では不十分であり、せっかくＲ、Ｇ、Ｂ以外の色光を独立して投射しても、その効果が十分に得られないこともある。例えば、Ｒ、Ｇ、Ｂの画像光に加えて、黄（Ｙe）の画像光が投射されていても、赤色センサ、緑色センサおよび青色センサの何れも黄（Ｙe）には殆ど反応しない。よって、赤色センサ、緑色センサおよび青色センサによって検出された反射光の輝度に基づいて色輝度補正を行っても、黄（Ｙe）については正確な補正結果が得られず、十分な色再現性は達成されない。
【０００４】
本発明の目的は、投射される画像光に含まれる全ての色光の輝度変化に対応した色輝度補正を実現可能な色輝度補正装置、該色輝度補正装置を備えたプロジェクタならびに色輝度補正方法を提供することにある。
【課題を解決するための手段】
【０００５】
本発明の色輝度補正装置は、
投射装置によって４色以上の画像光を投射面に順次投射してカラー画像を表示するプロジェクタに設けられて、その投射面に投射された各色の画像光の反射光の輝度を調整するための色輝度補正装置である。投射面に投射された各色ごとの画像光の反射光を受光して各色ごとのその反射光の輝度を測定するカラーセンサを備えて測定した輝度値を出力するカラーセンサ部と、カラーセンサ部から入力した各色の反射光の輝度値を示す情報が記憶される第１の記憶手段と、各色ごとに定められた反射光の基準輝度値を示す情報が予め記憶された第２の記憶手段と、第１の記憶手段に記憶されている情報と、第２の記憶手段に記憶されている情報とを比較して色輝度補正データを生成する色輝度補正データ生成手段と、色輝度補正データに基づいて投射装置に入力される画像信号を補正する色輝度補正手段とを有する。
【０００６】
投射面に投射される画像光は、赤色、緑色、青色および黄色であってもよく、第１の記憶手段に記憶されている情報は、カラーセンサ部によって検出された各色の反射光の輝度値を示してもよく、カラーセンサ部によって検出された各色の反射光の輝度値から、投射面に画像光が投射されていない状態で投射面によって反射された周辺光の輝度値を減算して得た輝度値を示してもよく、第２の記憶手段に記憶されている情報は、各色の画像光を白色の投射面に投射した際にカラーセンサ部によって検出された各色の反射光の輝度値を示してもよい。
【０００７】
本発明のプロジェクタは、上述の色輝度補正装置を備え、その色輝度補正装置の色輝度補正手段によって色輝度が補正された画像信号が投射装置に設けられた画像形成部へ入力される。
【０００８】
本発明のプロジェクタにおける色輝度補正方法は、
投射装置によって４色以上の画像光を投射面に順次投射してカラー画像を表示するプロジェクタにおける色輝度補正方法である。投射面に、４色以上の画像光を順次投射するステップと、投射面に投射された画像光の反射光の輝度値を各色ごとに検出するステップと、検出された各色の反射光の輝度値を各色ごとに予め定められている基準輝度と比較して色輝度補正データを生成するステップと、生成された色輝度補正データに基づいて画像形成部に入力される画像信号を補正するステップとを有する。
【０００９】
従って、三原色の画像光が投射される場合は勿論のこと、三原色以外の色の画像光が投射される場合にも、全ての画像光の反射光の輝度変化が検出され、適切な色輝度補正が実行される。なお、色輝度補正の具体的手法としては、検出された実際の反射光の輝度値と、予め設定されている基準輝度値と比較し、実際の輝度バランスが予め設定されている基準輝度バランスと同一になるように、画像信号中の輝度情報を補正する手法が一例として考えられる。
【発明の効果】
【００１０】
本発明によれば、プロジェクタの色輝度補正装置が投射光を構成する全ての色の輝度値を計測し、基準となる輝度値と比較して投射装置に入力する原画像の各色の画像信号の輝度値を基準となる輝度値に対応するように補正するので、プロジェクタ装置から投射される全て画像光の反射光の輝度変化に対応した色輝度補正を実行することができるという効果がある。
【発明を実施するための最良の形態】
【００１１】
次に、本発明の実施の形態について図面を参照して説明する。図１は本発明の第１の実施の形態の色輝度補正装置と色輝度補正装置を備えたプロジェクタを説明するための模式的ブロック構成図である。
【００１２】
本発明の第１の実施の形態の色輝度補正装置２０は、プロジェクタ１の投射装置１０から投射面３０へ投射される投射画像の反射光１７の色輝度が、原画像の色輝度になるように補正された入力信号が投射装置１０に出力される。
【００１３】
色輝度補正装置２０は、投射面３０からの反射光１７を受光して各色ごとの色輝度値を出力するカラーセンサ２２を備えたカラーセンサ部２１と、カラーセンサ２２からの色輝度値信号を入力して反射輝度値テーブル２３として格納する第１メモリ２４と、各色ごとの基準輝度値テーブル２５を格納する第２メモリ２６と、第１メモリ２４に記憶されている反射輝度値と第２メモリ２６に記憶されている各色ごとの基準輝度値とを比較して色輝度補正データを生成する色輝度補正データ生成部２７と、色輝度補正データに基づいて投射装置１０に入力される画像信号を補正する色輝度補正回路部２８と、投射装置１０に入力される画像信号を色輝度補正回路部２８に切替える切換スイッチ２９とを備えている。
【００１４】
カラーセンサ２２を構成する色輝度検出部は、入射光の輝度に応じた電圧を出力する光電変換素子であり、補正対象とする色ごとにその色のみを透過するフィルタが設けられた光電変換素子が設けられている。図２はカラーセンサの模式的斜視図である。図では各光電変換素子は赤受光部２２１、緑受光部２２２、青受光部２２３、黄受光部２２４としてそれぞれの入射部にカラーフィルタが設けられてそれぞれが共通基板に設けられ、カソード２２５から印加された電圧が色輝度に対応した電圧で色輝度値信号として赤アノード２２６、緑アノード２２７、青アノード２２８、黄アノード２２９から第１メモリ２４に出力される。光電変換素子としてはフォトダイオード、フォトトランジスタ、ＣＣＤ（Charge Coupled Devices）、ＣＭＯＳ（Complementary Metal Oxide Semiconductor）等が用いられる。個別の光電変換素子が４個設けられている構造であてもよい。
【００１５】
第１メモリ２４は、カラーセンサ２２から入力した色輝度値信号により反射輝度値テーブル２３を作成して格納する。また、第２メモリ２６には、白色体（白色のスクリーン）に、赤、緑、青、黄の各色の画像光を個別に投射したときにそれぞれの色に対応したカラーセンサ２２の光電変換素子から出力された電圧の値を、減衰のない基準輝度値として作成された基準輝度値テーブル２５が予め保持されている。第１メモリ２４と第２メモリ２６とは、物理的に独立した２つのメモリである必要はなく、同一メモリ内のある領域を第１メモリ２４、他の領域を第２メモリ２６として利用することもできる。以後赤、緑、青、黄の各色をＲ、Ｇ、Ｂ、Ｙeと略称する。
【００１６】
色輝度補正データ生成部２７は、第１メモリ２４に保持されている反射輝度値テーブル２３を第２メモリ２６に保持されている基準輝度値テーブル２５に基づいて現在の反射輝度値の各色のバランスを正常値のバランスに補正するための正規化を行うための正規化テーブルを作成し、作成された正規化テーブルを色輝度補正データとして色輝度補正回路部２８に出力する。具体的には、現在の反射輝度値テーブル２３に示される実際のＲ、Ｇ、Ｂ、Ｙeの各反射光の輝度値と、基準輝度値テーブル２５に示される理想的なＲ、Ｇ、Ｂ、Ｙeの各反射光の輝度値との比を演算し、その結果に基づいて現在の反射輝度値を基準輝度値と同じバランスとするための正規化テーブルを作成する。図３は本発明のカラーセンサを構成する各単色センサの特性を示すグラフである。
【００１７】
例えば、可視光の全領域について一様に反射効率の悪い投射面３０（例えば、灰色のスクリーン）に画像光が投射された場合、Ｒ、Ｇ、Ｂ、Ｙeがほぼ同じ割合で吸収される。図４は一様に反射効率の悪い投射面の反射光の輝度値を基準輝度値と同じバランスとするための正規化テーブルの作成プロセスを示す模式図である。図４に示すように、反射輝度値テーブル２３に示される現在のＲ、Ｇ、Ｂ、Ｙeの輝度値は、基準輝度値テーブル２５に示されているＲ、Ｇ、Ｂ、Ｙeの輝度値に対してほぼ一律に下がった結果となる。従って、現在の反射輝度値テーブル２３に示される実際のＲ、Ｇ、Ｂ、Ｙeの各反射光の輝度値と、基準輝度値テーブル２５に示される理想的なＲ、Ｇ、Ｂ、Ｙeの各反射光の輝度値との比は一定となり、同図に示すような比率が一定であることを示す正規化テーブル２７ａが得られる。
【００１８】
一方、ある波長領域の光についてのみ反射効率が悪い投射面３０、例えば波長５８０nm付近（いわゆる黄色）の光に対する反射効率が悪いスクリーンに投射光１６が投射された場合、Ｒ、Ｇ、Ｂ、Ｙeのうち、Ｙeが相対的に多く吸収される。図５は黄色の光に対する反射効率が悪いスクリーンに画像光が投射された場合のスクリーンの反射光の輝度値を基準輝度値と同じバランスとするための正規化テーブルの作成プロセスを示す模式図である。図５に示すように、現在の反射輝度値テーブル２３に示される現在のＲ、Ｇ、Ｂの輝度値の比率は、基準輝度値テーブル２５に示されるＲ、Ｇ、Ｂの輝度値の比率と同一であるが、反射輝度値テーブル２３に示される現在のＹeの輝度値は、基準輝度値テーブル２５に示されるＹeの輝度値の比率に比べて低い値となっている。従って、反射輝度値テーブル２３に示されるＲ、Ｇ、Ｂ、Ｙeの輝度値と、基準輝度値テーブル２５に示されるＲ、Ｇ、Ｂ、Ｙeの輝度値との比を演算すると、同図に示すような正規化テーブル２７ｂが得られる。ここで、Ｙeが相対的に多く吸収され、Ｙeの輝度値が低下している場合、人間の目にはＹeが減少したというよりも、Ｙeの補色であるＢが増加したと感じられる。しかし、実際にはＲ、Ｇ、Ｂの輝度値は変化していないので、従来例のようにＲ、Ｇ、Ｂの輝度値のみを個別に検出する単色センサを備えている場合には輝度値の変化は検出されず、色輝度補正は実行されない。
【００１９】
色輝度補正回路部２８は、色輝度補正データ生成部２７から入力された色輝度補正データに従って投射装置１０に入力される画像信号を補正処理し、処理済の画像信号を投射装置１０に出力する。具体的に説明すると、図４に示すような正規化テーブル２７ａが作成された場合には、現在のＲ、Ｇ、Ｂ、Ｙeの輝度値は、基準輝度値テーブル２５に示される理想的なＲ、Ｇ、Ｂ、Ｙeの輝度値と同様のバランスを持っており、色輝度補正の必要はない。従って、色輝度補正回路部２８は、入力した画像信号をそのまま投射装置１０に出力する。
【００２０】
黄色に対する反射効率のみが悪いスクリーンに画像光を投射した際の反射輝度値と基準反射輝度値から図５に示すような正規化テーブル２７ｂが作成された場合には、Ｒ、Ｇ、Ｂ、Ｙeのいずれか１つまたは２つ以上の輝度値が理想的な輝度値よりも低くなっており、良好な色再現性を確保するためには色輝度補正が必要である。そこで、色輝度補正回路部２８は、正規化テーブル２７ｂにおいて輝度値が低下している色以外の色の輝度値を下げるか、輝度値が低下している色の補色の輝度値を下げるように画像信号中の輝度値情報を補正する。例えば、図５に示すような正規化テーブル２７ｂが作成された場合には、Ｙeの輝度値が低下しているので、Ｒ、Ｇ、Ｂの全ての輝度値をＹeの輝度値に合わせて下げるか、Ｙeの補色であるＢの輝度値をＹeの輝度値に合わせて下げる。
【００２１】
上述の基準輝度値テーブル２５や反射輝度値テーブル２３を作成する際に、画像光が投射されていない状態でセンサによって検出された輝度値を減算する演算を行えば、より正確な色輝度補正を実現することができる。何故なら、画像光が投射されていない状態でセンサによって検出される輝度値は、周辺光の反射光の輝度値であり、この輝度値を減算すれば、画像光が投射されたことによる変化分のみに基づいて補正が行うことができるからである。
【００２２】
色輝度補正装置２０の各構成要素はプロジェクタ１の内部に個別に配置されていてもよいが、一体のユニットとして構成されていてもよい。一体に構成することによりプロジェクタ１を色輝度補正装置２０付と色輝度補正装置２０なしとすることが容易になる。
【００２３】
次に、本発明の第２の実施の形態の色輝度補正装置を備えたプロジェクタについて図１を参照して詳細に説明する。第２実施の形態のプロジェクタ１は、投射装置１０と第１の実施の形態の色輝度補正装置２０とを備えている。
【００２４】
投射装置１０は、光源装置１１と、光源装置１１から出射された光（白色光）を時分割で色分離する時分割色分離手段としてのカラーホイール１２と、カラーホイール１２によって分離された各色光を後述する反射型画像形成部１４に向けて反射すると共に、反射型画像形成部１４によって形成された画像光をそのまま透過させるＴＩＲプリズム（全反射プリズム）１３と、ＴＩＲプリズム１３によって反射された各色光を画像信号に基づいて空間的に光変調して画像光を形成する反射型画像形成部１４と、ＴＩＲプリズム１３を透過した画像光を投射面３０に向けて拡大投射する投射レンズ１５とを備えている。
【００２５】
光源装置１１は、メタルハライドランプ、キセノンランプ、水銀ランプ等の高圧放電ランプからなる光源と、光源の周囲に設けられたリフレクタとから構成されている。リフレクタは、例えば回転楕円形状の反射面を有し、第一焦点近傍に配置されている光源から全方向へ放射される光を第二焦点の近傍に集光させる。もっとも、リフレクタの反射面の形状は特に限定されるものではなく、光源から放射された光を効率良くカラーホイール１２に入射させることができる形状であればよい。
【００２６】
カラーホイール１２には、赤色光のみを透過させる略扇形の赤色フィルタと、緑色光のみを透過させる略扇形の緑色フィルタと、青色光のみを透過させる略扇形の青色フィルタと、黄色光のみを透過させる略扇形の黄色フィルタとが配置されている。また、このカラーホイール１２は、光源装置１１のリフレクタによる集光点の近傍に配置され、不図示の駆動機構によって円周方向に回転させられる。従って、光源装置１１から出射された白色光は、カラーホイール１２の各色フィルタに入射し、赤色光、緑色光、青色光および黄色光に時分割で分離され、ＴＩＲプリズム３に所定の入射角で入射する。
【００２７】
ＴＩＲプリズム１３は、カラーホイール１２を透過した光の全反射面に対する入射角が臨界角を超え、反射型画像形成部１４によって反射された光の全反射面に対する入射角が臨界角を超えないように配置されている。従って、カラーホイール１２によって時分割で色分離された各色光は、ＴＩＲプリズム１３の全反射面で反射されて反射型画像形成部１４に照射され、反射型画像形成部１４によって反射された光は、全反射面をそのまま透過する。
【００２８】
反射型画像形成部１４は、反射型の液晶パネルまたはＤＬＰ（登録商標）であり、投写画像の各画素に対応するセルまたは微小ミラーが入力された画像信号に従って個別に駆動されることによって、照射された各色光を空間的に光変調し、Ｒ、Ｇ、Ｂ、Ｙeの各色の画像光を時系列で形成する。反射型画像形成部１４によって形成されたＲ、Ｇ、Ｂ、Ｙeの各画像光は、ＴＲＩプリズム１３の全反射面を透過して投射レンズ１６に入射し、投射面３０に向けて順次投射される。この結果、残像現象によって人間の目にはフルカラーの画像として認識される。
【００２９】
以上の構成を有する本発明の第２の実施の形態のプロジェクタにおける色輝度補正のステップを図６を参照しながら順を追って説明する。図６は、本発明のプロジェクタにおける色輝度補正方法の一例を示すフローチャートである。
【００３０】
まず、図１に示すカラーホイール１２が回転して赤色フィルタが光路に挿入され、Ｒの画像光が投射面３０に投射され、投射面３０に投射されたＲの画像光の反射光（Ｒ反射光）の輝度値がカラーセンサ２２によって検出され、第１メモリ２４に格納される（ステップＳ１）。次に、緑色フィルタが光路に挿入され、投射面３０に投射されたＧの画像光の反射光（Ｇ反射光）の輝度値がカラーセンサ２２によって検出され、第１メモリ２４に格納される（ステップＳ２）。次いで、青色フィルタが光路に挿入され、Ｂの画像光の反射光（Ｂ反射光）の輝度値がカラーセンサ２２によって検出され、第１メモリ２４に格納される（ステップＳ３）。最後に、黄色フィルタが光路に挿入され、Ｙeの画像光の反射光（Ｙe反射光）の輝度値がカラーセンサ２２によって検出され、第１メモリ２４に格納される（ステップＳ４）。ここで、ステップＳ１〜Ｓ４の実行順序は任意に変更することができる。要は、フルカラー画像を表示するために投射される４色以上の画像光を順次投射し、それぞれの反射光の輝度値をカラーセンサ２２で検出すればよく、画像光の投射順序は本質的な条件ではない。また、ステップＳ１〜Ｓ４が実行されている間は、図１に示す切替スイッチ２９の切り替えによって色輝度補正回路部２８をパスした画像信号が反射型画像形成部１４に入力される。さらに、反射型画像形成部１４は、最大出力で駆動される。
【００３１】
次に、上記ステップＳ１〜ステップＳ４によって得られた現在のＲ、Ｇ、Ｂ、Ｙe反射光の輝度値を示す輝度値情報に基づいて反射輝度値テーブル２３が作成され、第１メモリ２４に保持される（ステップＳ５）。
【００３２】
次に、色輝度補正データ生成部２７によって、ステップＳ５によって作成された反射輝度値テーブル２３と、予め第２メモリ１２に保持されている基準輝度値テーブル２５とに基づいて正規化テーブル２７ａ、２７ｂが作成され（ステップＳ６）、色輝度補正データとして色輝度補正回路部２８へ出力される（ステップＳ７）。なお、正規化テーブル２７ａ、２７ｂの作成方法については既に説明した通りなので、ここでは説明を省略する。
【００３３】
続いて、色輝度補正回路部２８によって色輝度補正の必要性が判別される（ステップＳ８）。具体的には、色輝度補正データとして入力された正規化テーブル２７ａに示されているＲ、Ｇ、Ｂ、Ｙeの各反射光の輝度値グラフが互いに同一であれば、色輝度補正の必要なしと判断され（ステップＳ８Ｎ）、入力された画像信号がそのまま反射型画像形成部１４に出力される（ステップＳ１０）。一方、色輝度補正データとして入力された正規化テーブル２７ｂに示されているＲ、Ｇ、Ｂ、Ｙeの各反射光の輝度値グラフのうち、少なくとも１色の輝度値が相対的に低い場合は、色輝度補正の必要ありと判断され（ステップＳ８Ｙ）、輝度値が低い色以外の色の輝度値を下げるか、その色の補色の輝度値を下げるように画像信号中の輝度値情報が補正され（ステップＳ９）、補正された画像信号が反射型画像形成部１４に出力される（ステップＳ１０）。処理が終了でなければ（ステップＳ１１Ｎ）、ステップＳ１に戻って処理を繰り返し、終了であれば（ステップＳ１１Ｙ）、処理を終了する。
【００３４】
本実施の形態では、Ｒ、Ｇ、Ｂの画像光に加えてＹeの画像光が投射される場合を例にとって本発明のプロジェクタの実施形態を説明してきた。しかし、Ｒ、Ｇ、Ｂの画像光に加えて投射される画像光の色は、Ｙeに限定されるものではなく、必要に応じて任意に選択することができる。例えば、水色や紫の画像光を投射することもできる。投射される画像光の色を変更したい場合は、図１に示すカラーホイール１２を所望の色光を分離可能なカラーホイールに交換し、カラーセンサ２２の光電変換素子のカラーフィルタを交換すればよい。また、５色以上であっても光電変換素子とカラーフィルタとを追加することにより対応が可能である。
【図面の簡単な説明】
【００３５】
【図１】本発明の第１の実施例の形態の色輝度補正装置と色輝度補正装置を備えたプロジェクタを説明するための模式的ブロック構成図である。
【図２】カラーセンサの模式的斜視図である。
【図３】本発明のカラーセンサを構成する各単色センサの特性を示すグラフである。
【図４】一様に反射効率の悪い投射面の反射光の輝度値を基準輝度値と同じバランスとするための正規化テーブルの作成プロセスを示す模式図である。
【図５】黄色の光に対する反射効率が悪いスクリーンに画像光が投射された場合のスクリーンの反射光の輝度値を基準輝度値と同じバランスとするための正規化テーブルの作成プロセスを示す模式図である。
【図６】本発明のプロジェクタにおける色輝度補正方法の一例を示すフローチャートである。
【図７】従来のカラーセンサを構成する各単色センサの特性を示すグラフである。
【符号の説明】
【００３６】
１    プロジェクタ
１０    投射装置
１１    光源装置
１２    カラーホイール
１３    ＴＩＲプリズム
１４    反射型画像形成部
１５    投射レンズ
１６    投射光
１７    反射光
２０    色輝度補正装置
２１    カラーセンサ部
２２    カラーセンサ
２３    反射輝度値テーブル
２４    第１メモリ
２５    基準輝度値テーブル
２６    第２メモリ
２７    色輝度補正データ生成部
２７ａ、２７ｂ    正規化テーブル
２８    色輝度補正回路部
２９    切替スイッチ
３０    投射面
２２１    赤受光部
２２２    緑受光部
２２３    青受光部
２２４    黄受光部
２２５    カソード
２２６    赤アノード
２２７    緑アノード
２２８    青アノード
２２９    黄アノード
Ｓ１〜Ｓ１１    ステップ
【図１】
2005286605.tif 000003
【図２】
2005286605.tif 000004
【図３】
2005286605.tif 000005
【図４】
2005286605.tif 000006
【図５】
2005286605.tif 000007
【図６】
2005286605.tif 000008
【図７】
2005286605.tif 000009